(57)【要約】  将来の無線通信システムにおいてハーフデュプレックス通信を適切に制御するために、本開示の一態様に係るユーザ端末は、１以上のセルのスロットフォーマットに関する情報を受信する受信部と、前記スロットフォーマットに関する情報と、フルデュプレックス通信のサポート有無又はＵＬ信号とＤＬ信号の同時送受信のサポート有無とに基づいて、各セルのスロットフォーマットを決定する制御部と、を有する。
2020016938.tif 000002
【特許請求の範囲】
【請求項１】
１以上のセルのスロットフォーマットに関する情報を受信する受信部と、
前記スロットフォーマットに関する情報と、フルデュプレックス通信のサポート有無又はＵＬ信号とＤＬ信号の同時送受信のサポート有無とに基づいて、各セルのスロットフォーマットを決定する制御部と、を有することを特徴とするユーザ端末。
【請求項２】
前記制御部は、フルデュプレックス通信若しくはＵＬ信号とＤＬ信号の同時送受信をサポートしていない場合、又はハーフデュプレックスを適用する場合、所定周波数領域に含まれる複数のセルに同じスロットフォーマットを適用することを特徴とする請求項１に記載のユーザ端末。
【請求項３】
前記制御部は、所定セルについて通知されたスロットフォーマットに関する情報に基づいて、所定周波数領域に含まれる他のセルのスロットフォーマットを決定することを特徴とする請求項２に記載のユーザ端末。
【請求項４】
前記制御部は、所定周波数領域に含まれる複数のセルについてそれぞれ通知されるスロットフォーマットに関する情報が同じであると想定することを特徴とする請求項１に記載のユーザ端末。
【請求項５】
前記制御部は、ＵＬ信号とＤＬ信号の同時送受信をサポートしない旨を通知したバンドの組み合わせ、又はＵＬ信号とＤＬ信号の同時送受信をサポートする旨を通知しないバンドの組み合わせに対して、所定セルについて通知された同じスロットフォーマットを適用することを特徴とする請求項１に記載のユーザ端末。
【請求項６】
ＵＬ信号を送信する送信部と、
ＤＬ信号を受信する受信部と、
ＤＬ信号の受信期間と、ＤＬ信号を受信したＤＬシンボルから所定範囲の期間とにおいてＵＬ信号の送信を想定せず、且つＵＬ信号の送信期間においてＤＬ信号の受信を想定せずに送受信を行う制御部と、を有することを特徴とするユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０−１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１５以降などともいう）も検討されている。【０００４】
既存のＬＴＥシステム（例えば、ＬＴＥ  Ｒｅｌ．１０以降）では、広帯域化を図るために、複数のキャリア（コンポーネントキャリア（ＣＣ：Component  Carrier）、セル）を統合するキャリアアグリゲーション（ＣＡ：Carrier  Aggregation）が導入されている。各キャリアは、ＬＴＥ  Ｒｅｌ.８のシステム帯域を一単位として構成される。また、ＣＡでは、同一の無線基地局（ｅＮＢ:eNodeB）の複数のＣＣがユーザ端末（ＵＥ：User  Equipment）に設定される。【０００５】
既存のＬＴＥシステム（例えば、ＬＴＥ  Ｒｅｌ.１２以降）では、異なる無線基地局の複数のセルグループ（ＣＧ：Cell  Group）がユーザ端末に設定されるデュアルコネクティビティ（ＤＣ：Dual  Connectivity）も導入されている。各セルグループは、少なくとも一つのキャリア（ＣＣ、セル）で構成される。異なる無線基地局の複数のキャリアが統合されるため、ＤＣは、基地局間ＣＡ（Inter-eNB  CA）などとも呼ばれる。【０００６】
既存のＬＴＥシステム（例えば、ＬＴＥ  Ｒｅｌ.１４以前）では、下り（ＤＬ：Downlink）伝送と上り（ＵＬ：Uplink）伝送を時間的に切り替えて行う時分割複信（ＴＤＤ：Time  Division  Duplex）と、下り伝送と上り伝送を異なる周波数帯で行う周波数分割複信（ＦＤＤ：Frequency   Division  Duplex）が導入されている。【０００７】
ＴＤＤは、同一の周波数帯でＤＬ通信とＵＬ通信が時間的に切り替えられるため、ある時間帯で送信及び受信のいずれかしか行うことができないハーフデュプレックス（half-duplex）通信方式となる。ＦＤＤは、異なる周波数帯でＤＬ通信とＵＬ通信が行われるため、ユーザ端末の能力によっては、ハーフデュプレックス通信方式の他、ある時間帯で送信及び受信を同時に行うことができるフルデュプレックス（full-duplex）通信方式となる。
【先行技術文献】
【非特許文献】
【０００８】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００９】
既存のＬＴＥシステムのＴＤＤでは、サブフレーム単位でＵＬとＤＬの切り替えを行う構成であったのに対し、将来の無線通信システム（以下、ＮＲとも記す）では、シンボル単位でＵＬとＤＬの切り替えを行う構成もサポートされる。この場合、ハーフデュプレックス通信をどのように制御するかが問題となる。【００１０】
そこで、本開示は、将来の無線通信システムにおいてハーフデュプレックス通信を適切に制御可能なユーザ端末を提供することを目的の１つとする。
【課題を解決するための手段】
【００１１】
本開示の一態様に係るユーザ端末は、１以上のセルのスロットフォーマットに関する情報を受信する受信部と、前記スロットフォーマットに関する情報と、フルデュプレックス通信のサポート有無又はＵＬ信号とＤＬ信号の同時送受信のサポート有無とに基づいて、各セルのスロットフォーマットを決定する制御部と、を有することを特徴とする。
【発明の効果】
【００１２】
本開示の一態様によれば、将来の無線通信システムにおいてハーフデュプレックス通信を適切に制御することができる。
【図面の簡単な説明】
【００１３】
【図１】図１は、ＤＣＩを利用してスロットフォーマットに関する情報を基地局からＵＥに通知する際に利用するテーブルの一例を示す図である。
【図２】図２は、本実施の形態に係るハーフデュプレックス通信におけるＤＬ信号とＵＬ信号の送受信制御の一例を示す図である。
【図３】図３は、２つのコンポーネントキャリアに異なるスロットフォーマットを設定した場合の一例を示す図である。
【図４】図４は、所定周波数領域を周波数バンドに基づいて設定した場合におけるスロットフォーマットの制御の一例を示す図である。
【図５】図５は、所定周波数領域を周波数範囲に基づいて設定した場合におけるスロットフォーマットの制御の一例を示す図である。
【図６】図６Ａ及び図６Ｂは、バンドの組み合わせに基づいて設定した場合におけるスロットフォーマットの制御の一例を示す図である。
【図７】図７は、複数のセルに適用されるスロットフォーマットが異なってしまった場合のＤＬ／ＵＬ／ｆｌｅｘの統一の一例を示す図である。
【図８】図８は、複数のセルに適用されるスロットフォーマットが異なってしまった場合のユーザ端末の挙動の一例を示す図である。
【図９】図９は、本実施の形態に係る無線通信システムの概略構成の一例を示す図である。
【図１０】図１０は、本実施の形態に係る無線基地局の全体構成の一例を示す図である。
【図１１】図１１は、本実施の形態に係る無線基地局の機能構成の一例を示す図である。
【図１２】図１２は、本実施の形態に係るユーザ端末の全体構成の一例を示す図である。
【図１３】図１３は、本実施の形態に係るユーザ端末の機能構成の一例を示す図である。
【図１４】図１４は、本実施の形態に係る無線基地局及びユーザ端末のハードウェア構成の一例を示す図である。
【発明を実施するための形態】
【００１４】
既存のＬＴＥシステム（例えば、Ｒｅｌ．１４以前）では、ＵＬ伝送とＤＬ伝送の構成として、例えば、ＦＤＤ（フレーム構成タイプ１とも呼ぶ）と、ＴＤＤ（フレーム構成タイプ２とも呼ぶ）が規定されている。
【００１５】
フレーム構成タイプ１（ＦＤＤ）では、例えば、無線フレーム（１０ｍｓの時間間隔）において、１０サブフレームのＤＬ送信と１０サブフレームのＵＬ送信が可能となっている。各１０サブフレームのＤＬ送信とＵＬ送信は、互いの周波数領域が分離されて実行される。
【００１６】
ＦＤＤにおいてフルデュプレックス通信を適用する場合、ＵＥはＵＬ送信とＤＬ受信を同時に行うことができる。一方で、ＦＤＤにおいてハーフデュプレックス通信を適用する場合（例えば、フルデュプレックス通信をサポートしていない場合）、ＵＥは、ＤＬ信号とＵＬ信号の送受信を同時に行うことができない。
【００１７】
フレーム構成タイプ２（ＴＤＤ）では、同じ周波数領域においてＵＬ送信とＤＬ受信を切り替えて行い、ＤＬとＵＬの切り替え時にギャップ（ＧＰ）期間が設定される。ＴＤＤにおいて複数のセルを利用して通信を行う（例えば、キャリアアグリゲーションを利用する）場合、ＵＥはセル間の特別サブフレームのガード期間が所定期間だけオーバーラップすると想定する。
【００１８】
また、ＣＡを適用する複数のセルにおいて異なるＵＬ／ＤＬ構成が適用され、ＵＥが当該複数のセルに対して同時送受信（simultaneous  reception  and  transmission）の能力を具備していない場合、ＵＬ／ＤＬ構成が異なるサブフレームにおいて以下の動作を行う。
【００１９】
・プライマリセルのサブフレームがＤＬサブフレーム（セカンダリセルのサブフレームがＵＬサブフレーム）である場合、ＵＥは、セカンダリセルにおいて信号又はチャネルを送信しない。
・プライマリセルのサブフレームがＵＬサブフレーム（セカンダリセルのサブフレームがＤＬサブフレーム）である場合、ＵＥは、セカンダリセルにおいてＤＬ信号を受信することを想定しない。
・プライマリセルのサブフレームが特別サブフレームであり、且つセカンダリセルのサブフレームがＤＬサブフレームである場合、ＵＥは、セカンダリセルにおいて所定のチャネル及び信号の受信を想定せず、プライマリセルのガード期間又はＵｐＰＴＳ（Uplink  Pilot  Time  Slot）とオーバーラップするセカンダリセルのＯＦＤＭシンボルでは、その他のチャネル及び信号の受信も想定しない。
【００２０】
なお、所定のチャネル及び信号は、ＰＤＳＣＨ（Physical  Downlink  Shared  Channel）、ＥＰＤＣＣＨ（Enhanced  Physical  Downlink  Control  Channel）、ＰＭＣＨ（Physical  Multicast  Channel）及びＰＲＳ（Positioning  Reference  Signal）の少なくとも一つであってもよい。また、その他のチャネル及び信号は、報知信号、又はページングチャネル等であってもよい。
【００２１】
また、ＮＲでは、既存のＬＴＥのようにサブフレーム単位ではなく、サブフレームを構成するシンボル単位でスロットフォーマットを変更してＵＬとＤＬを切り替えて制御する構成がサポートされる。
【００２２】
例えば、基地局は、スロットフォーマットに関する情報をＵＥに送信する。ＵＥは、基地局から送信されたスロットフォーマットに関する情報に基づいてスロットにおける各シンボルの伝送方向を判断して送受信を制御する。スロットフォーマットに関する情報は、上位レイヤシグナリング（例えば、tdd-UL-DL-ConfigurationCommon、tdd-UL-DL-configurationCommon2、及びtdd-UL-DL-ConfigDedicatedの少なくとも一つ）を用いて基地局からＵＥに通知されてもよい。あるいは、スロットフォーマットに関する情報は、下り制御情報（例えば、スロットフォーマット識別子（ＳＦＩ：Slot  Format  Indicator））を用いて基地局からＵＥに通知されてもよい。
【００２３】
スロットフォーマットに関する情報は、ＵＬ伝送を示す「Ｕ」、ＤＬ伝送を示す「Ｄ」、ＵＬ伝送及びＤＬ伝送のいずれも指定しないフレキシブルを示す「Ｆ」が含まれていてもよい。図１に、ＤＣＩを利用してスロットフォーマットに関する情報（例えば、ＳＦＩとも呼ぶ）を基地局からＵＥに通知する際に利用するテーブルの一例を示す。ＵＥは、基地局から送信されるＤＣＩに含まれるビット情報と図１のテーブルに基づいてスロットフォーマットを判断してもよい。
【００２４】
ところで、ＮＲでは、既存のＬＴＥのようにサブフレーム単位ではなく、サブフレームを構成するシンボル単位でスロットフォーマットの変更がサポートされるが、かかる場合にハーフデュプレックス通信をどのように制御するかが問題となる。
【００２５】
例えば、フルデュプレックス通信（full-duplex  communication）をサポートしていないＵＥが同一セル（又は、他セル（例えば、隣接セル））においてＤＬ受信とＵＬ送信をどのように制御するかが問題となる。
【００２６】
本発明者等は、ハーフデュプレックス（half-duplex  communication）通信を行うＵＥ（例えば、フルデュプレックス通信をサポートしていないＵＥ）がＤＬ伝送（例えばＤＬ受信）とＵＬ伝送（例えばＵＬ送信）を切り替えて行う場合に、ＵＬ伝送とＤＬ伝送をそれぞれ制限すべき期間が必要である点に着目し、ハーフデュプレックス通信における制御を着想した。
【００２７】
また、本発明者等は、フルデュプレックス通信をサポートしていないＵＥが複数のセル（例えば、ＣＡ）を利用して通信を行う場合、各セルに設定されるスロットフォーマットの構成によっては干渉が生じるおそれがある点に着目した。例えば、複数のセル間で異なるスロットフォーマット（ＵＬ／ＤＬ構成）を適用する場合において、当該セル間が近接（隣接）していると、ＵＥの内部でＵＬ信号の送信とＤＬ信号の受信が干渉して、通信品質が劣化するおそれがある。
【００２８】
そこで、本発明者等は、複数のセル間の関係（又は、種別）等に基づいて各セルで利用するスロットフォーマットを制御することを着想した。例えば、ＵＥは所定セル（又は、所定周波数領域）において同じスロットフォーマットが適用されると想定することを着想した。あるいは、ネットワーク（例えば、基地局）は所定セル（又は、所定周波数領域）において同じスロットフォーマットに関する情報を通知するように制御することを着想した。
【００２９】
以下、本開示に係る実施形態について、図面を参照して詳細に説明する。各実施の態様は、それぞれ単独で適用されてもよいし、組み合わせて適用されてもよい。以下の説明において、ＳＦＩに関する情報は、上位レイヤシグナリング（例えば、tdd-UL-DL-ConfigurationCommon、tdd-UL-DL-configurationCommon2、及びtdd-UL-DL-ConfigDedicatedの少なくとも一つ）、及び下り制御情報（例えば、ＳＦＩ）の少なくとも一方を利用して基地局からＵＥに送信されてもよい。
【００３０】
また、フルデュプレックス通信をサポートしないＵＥは、同時にＤＬ受信及びＵＬ送信をサポートしないＵＥ、又はＳＵＬを含むＣＡバンドコンビネーションに対して同時に受信と送信をサポートしないＵＥと読み替えてもよい。また、以下の説明で示す構成は、フルデュプレックス通信をサポートしないＵＥに好適に適用できるが、これに限られずフルデュプレックス通信をサポートするＵＥへの適用を制限するものではない。
【００３１】
（第１の態様）
第１の態様は、フルデュプレックス通信をサポートしないＵＥが所定期間において、ＤＬ受信とＵＬ送信を制限するように制御する。
【００３２】
図２に示すように、フルデュプレックス通信をサポートしないＵＥは、ＤＬ送信（ＤＬ−ｒｘ）からＵＬ送信（ＵＬ−ｔｘ）に切り替わる場合に、ＤＬ受信後の所定期間においてＵＬ送信を行わないように制御する。例えば、ＵＥは、同じセルにおいて最後に（又は、最新で）受信したＤＬシンボルの末尾から所定期間（例えば、ＮＲＸ−ＴＸＴＣ）が経過するまでは、ＵＬ送信（ＵＬ−ｔｘ）を想定しないで動作する。
【００３３】
所定期間（例えば、ＮＲＸ−ＴＸＴＣ）は、仕様であらかじめ定義された値であってもよいし、基地局からＵＥに通知される値であってもよい。また、ＤＬ送信は下り制御情報（例えば、ＰＤＣＣＨ）及びＤＬデータ（例えば、ＰＤＳＣＨ）の少なくとも一方の送信であってもよいし、ＵＬ送信は上り制御情報（例えば、ＰＵＣＣＨ）及びＵＬデータ（例えば、ＰＵＳＣＨ）の少なくとも一方の送信であってもよい。もちろん、ＤＬとＵＬにおける信号又はチャネルはこれに限られない。
【００３４】
さらにＵＥは、ＤＬ受信中、又はスロットフォーマットがＤに設定された期間（すなわち、図２の最後に受信するＤＬシンボルの末尾より前）において、ＵＬ送信を想定せずに動作を制御する。また、ＵＥは、ＵＬ送信中、又はスロットフォーマットがＵに設定された期間（すなわち、図２の所定期間経過後のＵＬ送信）において、ＤＬ受信を想定せずに動作を制御する。
【００３５】
つまり、ＵＥは、同じセルにおいて、ＤＬ信号及びＤＬチャネルの少なくとも一方（以下、ＤＬ信号と記す）の受信中及び最後に受信したＤＬシンボルの末尾から所定期間が経過するまでの間、ＵＬ信号及びＵＬチャネルの少なくとも一方（以下、ＵＬ信号と記す）を送信することを想定しないで動作する。さらに、ＵＥは、所定期間経過後のＵＬ送信中において、ＤＬ信号を受信することを想定しないで動作する。
【００３６】
このように、ＤＬ受信期間（又は、スロットフォーマットがＤに設定された期間）、ＤＬ後のＵＬ送信開始タイミング、及びＵＬ送信期間（又は、スロットフォーマットがＵに設定された期間）におけるＵＥ動作を制御する。これにより、ＵＥは、ＤＬ信号の受信中及びその後の所定期間にＵＬ信号を送信すること、及びＵＬ信号の送信中にＤＬ信号を受信することを確実に防止して、ハーフデュプレックス通信を適切に実行することができる。その結果、ハーフデュプレックス通信におけるＤＬ信号とＵＬ信号の送受信を適切に制御することができる。
【００３７】
なお、上記説明では、同一セルにおいて適用する場合を例に挙げたがこれに限られない。異なるセル（例えば、所定のセルグループ等）における通信において上記構成を適用してもよい。
【００３８】
（第２の態様）
第２の態様は、複数のセル（例えば、ＣＡ）を利用して通信を行う場合に、所定のセルの組み合わせに対して同じスロットフォーマットを適用するように制御する。
【００３９】
キャリアアグリゲーションでは、ユーザ端末は、複数のセルを利用して、ＵＬ信号の送信とＤＬ信号の受信を行う。セル毎にそれぞれスロットフォーマットが別々に設定される場合、各セルには、異なるスロットフォーマット（ＵＬ／ＤＬ構成）が設定され得る。
【００４０】
図３は、２つのＣＣ（又は、セル）に異なるスロットフォーマット（例えば、ＵＬ／ＤＬ構成）を設定した場合の一例を示す図である。ＣＣ＃１では、時系列順に、ＤＬ、ＤＬ、ｆｌｅｘ、ｆｌｅｘが設定されている。ＣＣ＃２では、時系列順に、ＤＬ、ｆｌｅｘ、ＵＬ、ｆｌｅｘが設定されている。
【００４１】
フルデュプレックス通信をサポートしていないＵＥにおいて、複数のセル間で異なるスロットフォーマットを適用する場合、当該セル間が十分に離れていればセル間の干渉が問題になることはない。これに対して、当該セル間が近接（隣接）していると、ユーザ端末の内部で、ＵＬ信号の送信とＤＬ信号の受信が干渉して通信品質が劣化するおそれがある。
【００４２】
そこで、第２の態様では、フルデュプレックス通信をサポートしないＵＥは、同一セル及び所定セルの組み合わせの少なくとも一方において、同時に送信と受信を行わないと想定してハーフデュプレックス通信を制御する。ＵＥは、セル毎又は複数セルの組み合わせ毎に、フルデュプレックス通信、又はＵＬ信号とＤＬ信号の同時送受信をサポートしているか否かを示すＵＥ能力情報（例えば、Capabilityシグナリング、又はsimultaneousRxTxSUL）を基地局に送信してもよい。
【００４３】
基地局は、受信したＵＥ能力情報に基づいて、ＵＥがフルデュプレックス通信、又はＵＬ信号とＤＬ信号の同時送受信（以下、単にフルデュプレックス通信と記す）をサポートしていないとき、所定の複数セルの組み合わせに対して、同一のスロットフォーマットを設定（又は、送信）するように制御する。これにより、複数のセルの組み合わせを利用した通信において、ＵＥにおいてＵＬ信号の送信とＤＬ信号の受信が干渉（衝突）することを防止することができる。
【００４４】
例えば、基地局は、フルデュプレックス通信をサポートしていないＵＥ、又はハーフデュプレックス通信を適用するＵＥに対して、所定の複数セルについて同じスロットフォーマットに関する情報を送信するように制御してもよい。所定の複数セルは、所定の周波数領域に含まれるセルの組み合わせであってもよい。
【００４５】
ＵＥは、１以上のセルのスロットフォーマットに関する情報を受信した場合、当該スロットフォーマットに関する情報と、フルデュプレックス通信のサポート有無又はＵＬ信号とＤＬ信号の同時送受信のサポート有無とに基づいて、各セルのスロットフォーマットを決定してもよい。例えば、ＵＥは、所定の周波数領域に含まれる複数のセルに同じスロットフォーマットを適用してもよい。あるいは、ＵＥは、所定セルについて通知されたスロットフォーマットに関する情報に基づいて、所定の周波数領域に含まれる他のセルのスロットフォーマットを決定してもよい。あるいは、ＵＥは、所定の周波数領域に含まれる複数のセルについてそれぞれ通知されるスロットフォーマットに関する情報が同じであると想定してもよい。
【００４６】
ここで、「所定の周波数領域」をどのように設定するのかについては、例えば、「周波数バンド（Frequency  Band）」に基づく場合と、「周波数範囲（Frequency  Range）」に基づく場合とが可能である。いずれの場合も、フルデュプレックス通信又はＵＬ信号とＤＬ信号の同時送受信をサポートしていないＵＥは、同一セル及び所定の複数セルの組み合わせにおいて、ＵＬ信号とＤＬ信号を同時に送受信することを想定しない。
【００４７】
以下に、同じスロットフォーマットが適用される（又は、適用されると想定する）態様として態様１−態様３を例に挙げて説明する。なお、ＵＥは、少なくともいずれか一つの態様を利用して各セルのスロットフォーマットを決定できる。
【００４８】
＜態様１＞
態様１では、周波数バンドに基づいて同じスロットフォーマットが適用されるセルを制御する。つまり、上述した所定の周波数領域が周波数バンドとなる場合に相当する。
【００４９】
ＵＥは、ハーフデュプレックス動作において、複数セルの内の１つ又は複数のセルについて、スロットフォーマットに関する情報を基地局から受信する。ＵＥは、受信したスロットフォーマットを、同じ周波数バンドに含まれる全て（又は、一部）のセルに対して適用する。
【００５０】
例えば、ＵＥは、ある周波数バンドに含まれる１つのセル（又は、１つの周波数バンド）についてスロットフォーマットに関する情報が通知された場合、当該スロットフォーマットを同一の周波数バンドに含まれる他のセルについても適用する。
【００５１】
基地局は、ＵＥが通信を行う複数のセルが所定周波数バンド（又は、所定周波数バンドの組み合わせ）に含まれる場合、所定周波数バンドに含まれる複数のセルに同じスロットフォーマットが適用されるようにスケジューリングを制御してもよい。この場合、基地局は、当該所定周波数バンドの少なくとも１つのセルについてスロットフォーマットに関する情報を送信してもよい。
【００５２】
これにより、同じ周波数バンドに含まれる複数セルに対して別個独立にスロットフォーマットを設定する必要がなくなり、シグナリングオーバーヘッドを削減することができる。
【００５３】
あるいは、基地局は、所定周波数バンドに含まれる各セルについてそれぞれ同じスロットフォーマットに関する情報をＵＥに送信してもよい。この場合、ＵＥは、ある周波数バンドに含まれる複数のセルについてスロットフォーマットに関する情報が通知される場合、各セルについて通知されるスロットフォーマットが同じであると想定してもよい。
【００５４】
図４は、所定の周波数領域を周波数バンドに基づいて設定した場合におけるスロットフォーマットの制御の一例を示す図である。周波数バンドとしては、例えば、第１の周波数バンドｎ１を１９２０ＭＨｚ〜１９８０ＭＨｚとし、第２の周波数バンドｎ２を１８５０ＭＨｚ〜１９１０ＭＨｚとしてもよい。もちろん、適用可能な周波数バンドはこれに限られない。
【００５５】
図４では、同一の周波数バンドに含まれるコンポーネントキャリアＣＣ＃１とＣＣ＃２に対して、同一のスロットフォーマット（ＤＬ／ＵＬ／ｆｌｅｘ）を適用する場合を例示している。また、図４では、ＣＣ＃１とＣＣ＃２が含まれるバンドと異なる周波数バンドに含まれるコンポーネントキャリアＣＣ＃３とＣＣ＃４とＣＣ＃５に対して、同一のスロットフォーマット（ＤＬ／ＵＬ／ｆｌｅｘ）を適用する場合を例示している。基地局（ネットワーク）は、ユーザ端末のために、同一の周波数バンドに含まれるコンポーネントキャリアに適用するスロットフォーマット（ＤＬ／ＵＬ／ｆｌｅｘ）を整列（Align）させる。
【００５６】
このように、同じ周波数バンドに含まれるセル間で同じスロットフォーマットを適用するように制御することにより、ＵＥにおけるＤＬ受信とＵＬ送信の干渉を低減することができる。
【００５７】
＜態様２＞
態様２では、周波数範囲（Frequency  Range）に基づいて同じスロットフォーマットが適用されるセルを制御する。つまり、上述した所定の周波数領域が周波数範囲となる場合に相当する。
【００５８】
ＵＥは、ハーフデュプレックス動作において、同じ周波数レンジに含まれる複数セルの内の１つ又は複数のセルについて、スロットフォーマットに関する情報を基地局から受信する。ＵＥは、受信したスロットフォーマットを、同じ周波数レンジに含まれる全て（又は、一部）のセルに対して適用する。
【００５９】
例えば、ＵＥは、ある周波数レンジに含まれる１つのセル（又は、１つの周波数レンジ）についてスロットフォーマットに関する情報が通知された場合、当該スロットフォーマットを同一の周波数レンジに含まれる他のセルについても適用する。
【００６０】
基地局は、ＵＥが通信を行う複数のセルが所定周波数レンジに含まれる場合、所定周波数レンジに含まれる複数のセルに同じスロットフォーマットが適用されるようにスケジューリングを制御してもよい。この場合、基地局は、当該所定周波数レンジの少なくとも１つのセルについてスロットフォーマットに関する情報を送信してもよい。
【００６１】
これにより、同じ周波数レンジに含まれる複数セルに対して別個独立にスロットフォーマットを設定する必要がなくなり、シグナリングオーバーヘッドを削減することができる。
【００６２】
あるいは、基地局は、所定周波数レンジに含まれる各セルについてそれぞれ同じスロットフォーマットに関する情報をＵＥに送信してもよい。この場合、ＵＥは、ある周波数レンジに含まれる複数のセルについてスロットフォーマットに関する情報が通知される場合、各セルについて通知されるスロットフォーマットが同じであると想定してもよい。
【００６３】
図５は、所定周波数レンジを周波数範囲に基づいて設定した場合におけるスロットフォーマットの制御の一例を示す図である。周波数レンジとしては、少なくとも１つの臨界周波数を定めて、その臨界周波数によって複数の周波数範囲を規定することができる。図５の例では、１つの臨界周波数によって２つの周波数範囲ＦＲ１とＦＲ２を規定している。
【００６４】
例えば、第１の周波数レンジ（ＦＲ１）は６ＧＨｚ以下の周波数帯（サブ６ＧＨｚ（sub-6GHz））であってもよいし、第２の周波数レンジ（ＦＲ２）は２４ＧＨｚよりも高い周波数帯（above-24GHz）であってもよい。また、ＦＲ１は、サブキャリア間隔（ＳＣＳ：Sub-Carrier  Spacing）として１５、３０及び６０ｋＨｚのうちから少なくとも１つが用いられる周波数レンジと定義されてもよいし、ＦＲ２は、ＳＣＳとして６０及び１２０ｋＨｚのうちから少なくとも１つが用いられる周波数レンジと定義されてもよい。なお、ＦＲ１及びＦＲ２の周波数帯、定義などはこれらに限られず、例えばＦＲ１がＦＲ２よりも高い周波数帯であってもよい。
【００６５】
図５では、同一の周波数レンジＦＲ１に含まれるＣＣ＃１とＣＣ＃２に対して同一のスロットフォーマット（ＤＬ／ＵＬ／ｆｌｅｘ）を適用する。同様に、同一の周波数レンジＦＲ２に含まれるＣＣ＃３とＣＣ＃４とＣＣ＃５に対して同一のスロットフォーマット（ＤＬ／ＵＬ／ｆｌｅｘ）を適用している。
【００６６】
なお、周波数レンジＦＲ１のＣＣ＃１とＣＣ＃２に対して適用するスロットフォーマットと、周波数範囲ＦＲ２のＣＣ＃３とＣＣ＃４とＣＣ＃５に対して適用するスロットフォーマットは、同一であっても異なっていてもよい。ネットワーク（例えば、基地局）は、ＵＥのために、同一の周波数レンジに含まれるＣＣに適用するスロットフォーマット（ＤＬ／ＵＬ／ｆｌｅｘ）を整列（Align）させる。
【００６７】
このように、同じ周波数レンジに含まれるセル間で同じスロットフォーマットを適用するように制御することにより、ＵＥにおけるＤＬ受信とＵＬ送信の干渉を低減することができる。
【００６８】
＜態様３＞
態様３では、ＵＥにおいてＤＬとＵＬの同時送受信をサポートしていないバンド（又は、セル）の組み合わせについて同じスロットフォーマットが適用されるセルを制御する。つまり、周波数領域に基づいて決定するのではなく、ＵＥのＤＬとＵＬの同時送受信有無（例えば、ＵＥ能力）に基づいて、同じスロットフォーマットを適用するバンド（又は、セル）を制御する。この場合、ＵＥ毎にスロットフォーマットを柔軟に制御することが可能となる。
【００６９】
例えば、基地局は、ＵＥからＵＬ信号とＤＬ信号の同時送受信をサポートしない旨（false）が通知されたバンドの組み合わせについて、同じスロットフォーマットに関する情報を送信するように制御してもよい。あるいは、基地局は、ＵＥからＵＬ信号とＤＬ信号の同時送受信をサポートする旨（true）が通知されないバンドの組み合わせについて、同じスロットフォーマットに関する情報を送信するように制御してもよい。
【００７０】
つまり、基地局は、ＵＥからのＵＥ能力情報の受信の有無に基づいて、ＵＬ信号とＤＬ信号の同時送受信をサポートしない旨（false）が通知されたバンドの組み合わせ又はＵＬ信号とＤＬ信号の同時送受信をサポートする旨（true）が通知されないバンドの組み合わせを把握する。基地局は、把握したバンドの組み合わせ毎に、同一のスロットフォーマットが適用されるように、当該スロットフォーマットに関する情報をユーザ端末に送信する。
【００７１】
ＵＥは、基地局から受け取ったスロットフォーマットに関する情報に基づいて、ＵＬ信号とＤＬ信号の同時送受信をサポートしない旨を通知したバンドの組み合わせ、又はＵＬ信号とＤＬの同時送受信をサポートする旨を通知しないバンドの組み合わせに対して、所定セルについて通知された同じスロットフォーマットを適用してもよい。
【００７２】
例えば、ＵＥは、複数セルの内の１つ又は複数のセルについて、スロットフォーマットに関する情報を基地局から受信する。ＵＥは、ＵＬ信号とＤＬ信号の同時送受信をサポートしない旨（false）の通知を行ったバンドの組み合わせ又はＵＬ信号とＤＬ信号の同時送受信をサポートする旨（true）の通知を行わなかったバンドの組み合わせについて、それぞれ、所定セルについて通知された同じスロットフォーマットを適用する。
【００７３】
例えば、ＵＥは、ＵＬ信号とＤＬ信号の同時送受信をサポートしない旨（false）の通知を行ったバンドの組み合わせ（又は、当該バンドの組み合わせに含まれる１つのセル）について１つのスロットフォーマットに関する情報が通知された場合、当該スロットフォーマットを当該バンドの組み合わせについても適用する。あるいは、ＵＥは、ＵＬ信号とＤＬ信号の同時送受信をサポートする旨（true）の通知を行わなかったバンドの組み合わせ（又は、当該バンドの組み合わせに含まれる１つのセル）について１つのスロットフォーマットに関する情報が通知された場合、当該スロットフォーマットを当該バンドの組み合わせについても適用する。
【００７４】
基地局は、ＵＥから通知されたＵＬ信号とＤＬ信号の同時送受信をサポートしない旨（false）が通知されたバンドの組み合わせに含まれる複数のセルに同じスロットフォーマットが適用されるようにスケジューリングを制御してもよい。この場合、基地局は、当該バンドの組み合わせに含まれる少なくとも１つのセル（又は、バンド）についてスロットフォーマットに関する情報を送信してもよい。
【００７５】
これにより、所定のバンドの組み合わせに含まれる複数セルに対して別個独立にスロットフォーマットを設定する必要がなくなり、シグナリングオーバーヘッドを削減することができる。
【００７６】
あるいは、基地局は、所定のバンドの組み合わせに含まれる各セル（又は、各バンド）についてそれぞれ同じスロットフォーマットに関する情報をＵＥに送信してもよい。この場合、ＵＥは、所定のバンドの組み合わせに含まれる複数のセルについてスロットフォーマットに関する情報が通知される場合、各セルについて通知されるスロットフォーマットが同じであると想定してもよい。
【００７７】
図６は、バンドの組み合わせ（Band  combination）に基づいて設定した場合におけるスロットフォーマットの制御の一例を示す図である。図６Ａでは、ＵＬ信号とＤＬ信号の同時送受信をサポートしない旨（false）が通知されたバンドの組み合わせのＣＣ＃１とＣＣ＃２とＣＣ＃３に対して同一のスロットフォーマット（ＤＬ／ＵＬ／ｆｌｅｘ）を適用している。
【００７８】
図６Ｂでは、ＵＬ信号とＤＬ信号の同時送受信をサポートする旨（true）が通知されないバンドの組み合わせのＣＣ＃４とＣＣ＃５とＣＣ＃６に対して同一のスロットフォーマット（ＤＬ／ＵＬ／ｆｌｅｘ）を適用している。ネットワーク（例えば、基地局）は、ＵＬ信号とＤＬ信号の同時送受信をサポートしない旨が通知されたバンドの組み合わせ又はＵＬ信号とＤＬ信号の同時送受信をサポートする旨が通知されないバンドの組み合わせについて、ＣＣに適用するスロットフォーマット（ＤＬ／ＵＬ／ｆｌｅｘ）を整列（Align）させる。
【００７９】
このように、ＵＥから通知されるＵＬとＤＬの同時送受信のサポート有無に関するバンドの組み合わせに基づいて、所定セル間で同じスロットフォーマットを適用するように制御することにより、ＵＥにおけるＤＬ受信とＵＬ送信の干渉を低減することができる。
【００８０】
＜スロットフォーマットの決定＞
上述した説明では、基地局からＵＥに対して、スロットフォーマットに関する情報を送信して、ＵＥに対して、所定の複数セル（又は、ＣＣ）について同一のスロットフォーマットを設定する場合を説明した。
【００８１】
しかし、基地局から所定の複数セルについてそれぞれスロットフォーマットに関する情報を送信する場合、各セルに対応するスロットフォーマット情報が異なって通知されるケースも生じ得る。この場合、内容が異なる複数のスロットフォーマットに関する情報を受信したＵＥは、所定の基準に基づいて複数セルに適用するスロットフォーマットを決定（統一）してもよい。
【００８２】
所定の基準としては、以下の基準（１）−基準（３）のいずれかを適用してもよい。
基準（１）：複数のＣＣにＰＣｅｌｌ／ＰＳＣｅｌｌが含まれている場合、ＰＣｅｌｌ／ＰＳＣｅｌｌに対応するスロットフォーマットを適用する。
基準（２）：複数のＣＣのうちＣＣインデックスが最小のＣＣに対応するスロットフォーマットを適用する。
基準（３）：スロットフォーマットにおいて所定の伝送方向を優先して適用する。
【００８３】
例えば、ＵＥは、内容が異なる複数のスロットフォーマットに関する情報を受信した場合、所定のＣＣのスロットフォーマットに関する情報を優先して適用する（基準（１）、（２））。基準（１）と基準（２）は、組み合わせて適用してもよい。例えば、複数のＣＣにＰＣｅｌｌ及びＰＣｅｌｌが含まれていない場合に、ＣＣインデックスが最小のＣＣのスロットフォーマットを適用してもよい。
【００８４】
基準（３）を適用する場合、例えば、ＵＬ伝送（Ｕ）をフレキシブル（Ｆ）より優先し、ＤＬ伝送（Ｄ）をフレキシブル（Ｆ）より優先してもよい。図７は、複数のＣＣ（又は、セル）について通知されるスロットフォーマットが異なる場合に、適用するスロットフォーマットの決定（又は、統一）の一例を示している。
【００８５】
図７の例では、ＣＣ＃１において、時系列順に、ＤＬ、ＤＬ、ｆｌｅｘ、ｆｌｅｘが設定されており、ＣＣ＃２において、時系列順に、ＤＬ、ｆｌｅｘ、ＵＬ、ｆｌｅｘが設定されている。ＣＣ＃１のＤＬとＣＣ＃２のｆｌｅｘが異なってしまった箇所ではＤＬに統一され、ＣＣ＃１のｆｌｅｘとＣＣ＃２のＵＬが異なってしまった箇所ではＵＬに統一されている。
【００８６】
また、基準（３）を適用する場合、ＵＥに通知される複数のスロットフォーマット間において、特定の異なる伝送方向が衝突する場合にエラーケースとして扱ってもよい。図８は、複数のＣＣに適用されるスロットフォーマットが異なる場合のユーザ端末の挙動の一例を示している。図８の例では、ＣＣ＃１とＣＣ＃２でＤＬとＵＬが異なった場合を示している。この場合、ユーザ端末は、エラーケースとして取り扱って、少なくともＵＬ伝送とＤＬ伝送が衝突する期間（例えば、シンボル）においてＵＬ信号とＤＬ信号の送受信を行わないように制御してもよい。あるいは、ユーザ端末の各々の実装（インプリ）に基づいて、ＵＬ信号とＤＬ信号のいずれかの送受信を行ってもよい。
【００８７】
このように、スロットフォーマットの決定方法を制御することにより、ＵＥは、所定の複数セルについてそれぞれ異なるスロットフォーマット情報が通知された場合であっても、ハーフデュプレックス通信を適切に制御することが可能となる。
【００８８】
（無線通信システム）
以下、本実施の形態に係る無線通信システムの構成について説明する。この無線通信システムでは、上記複数の態様の少なくとも一つの組み合わせを用いて通信が行われる。
【００８９】
図９は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００９０】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００９１】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００９２】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００９３】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９４】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００９５】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【００９６】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００９７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００９８】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９９】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１００】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１０１】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１０２】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１０３】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１０４】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０５】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１０６】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１０７】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０８】
＜無線基地局＞
図１０は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０９】
下りリンクによって無線基地局１０からユーザ端末２０に送信されるユーザデータは、上位局装置３０から伝送路インターフェース１０６を介してベースバンド信号処理部１０４に入力される。
【０１１０】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１１１】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１１２】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１１３】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１４】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１５】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０１１６】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０１１７】
また、送受信部１０３は、１以上のセルのスロットフォーマットに関する情報を送信する。送受信部１０３は、スロットフォーマットに関する情報を、上位レイヤ（例えば、ＲＲＣシグナリング、又は報知信号）及び下り制御情報の少なくとも一方を利用して送信してもよい。
【０１１８】
図１１は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１１９】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１２０】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１２１】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１２２】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１２３】
制御部３０１は、ＵＥから送信されるＵＥ能力情報（例えば、ＵＬとＤＬの同時送受信有無等）に基づいて、各セルに設定されるスロットフォーマットを制御してもよい。例えば、制御部３０１は、フルデュプレックス通信若しくはＵＬ信号とＤＬ信号の同時送受信をサポートしていないユーザ端末、又はハーフデュプレックスを適用するユーザ端末に対して、所定周波数領域に含まれる複数のセルについて同じスロットフォーマットに関する情報を送信するように制御してもよい。
【０１２４】
あるいは、制御部３０１は、ＵＬ信号とＤＬ信号の同時送受信をサポートしない旨が通知されたバンドの組み合わせ、又はＵＬ信号とＤＬ信号の同時送受信をサポートする旨が通知されないバンドの組み合わせについて同じスロットフォーマットに関する情報を送信するように制御してもよい。
【０１２５】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１２６】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１２７】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２８】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１２９】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１３０】
測定部３０５は、受信した信号に関する測定を実施する。測定部３０５は、本開示に係る技術分野での共通認識に基づいて説明される測定器、測定回路又は測定装置から構成することができる。
【０１３１】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１３２】
＜ユーザ端末＞
図１２は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１３３】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３４】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１３５】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１３６】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１３７】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０１３８】
また、送受信部２０３は、無線基地局１０から下り（ＤＬ）信号（ＤＬデータ信号（下り共有チャネル）、ＤＬ制御信号（下り制御チャネル）、ＤＬ参照信号の少なくとも一つを含む）を受信し、無線基地局１０に対して上り（ＵＬ）信号（ＵＬデータ信号、ＵＬ制御信号、ＵＬ参照信号の少なくとも一つを含む）を送信する。
【０１３９】
また、送受信部２０３は、１以上のセルのスロットフォーマットに関する情報を受信する。送受信部２０３は、スロットフォーマットに関する情報を、上位レイヤ（例えば、ＲＲＣシグナリング、又は報知信号）及び下り制御情報の少なくとも一方を利用して受信してもよい。
【０１４０】
図１３は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１４１】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１４２】
制御部４０１は、ユーザ端末２０全体の制御を実施する。制御部４０１は、本開示に係る技術分野での共通認識に基づいて説明されるコントローラ、制御回路又は制御装置から構成することができる。
【０１４３】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１４４】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１４５】
制御部４０１は、ＵＥ能力情報（例えば、ＵＬとＤＬの同時送受信有無等）に基づいて、各セルに設定されるスロットフォーマットを制御してもよい。例えば、制御部４０１は、基地局から送信されるスロットフォーマットに関する情報と、フルデュプレックス通信のサポート有無又はＵＬ信号とＤＬ信号の同時送受信のサポート有無とに基づいて、各セルのスロットフォーマットを決定してもよい。
【０１４６】
また、制御部４０１は、フルデュプレックス通信若しくはＵＬ信号とＤＬ信号の同時送受信をサポートしていない場合、又はハーフデュプレックスを適用する場合、所定周波数領域に含まれる複数のセルに同じスロットフォーマットを適用してもよい。
【０１４７】
また、制御部４０１は、所定セルについて通知されたスロットフォーマットに関する情報に基づいて、所定周波数領域に含まれる他のセルのスロットフォーマットを決定してもよい（第２の態様の＜態様１＞、＜態様２＞等）。あるいは、制御部４０１は、所定周波数領域に含まれる複数のセルについてそれぞれ通知されるスロットフォーマットに関する情報が同じであると想定してもよい（第２の態様の＜態様１＞、＜態様２＞等）。あるいは、制御部４０１は、ＵＬ信号とＤＬ信号の同時送受信をサポートしない旨を通知したバンドの組み合わせ、又はＵＬ信号とＤＬ信号の同時送受信をサポートする旨を通知しないバンドの組み合わせに対して、所定セルについて通知された同じスロットフォーマットを適用してもよい（第２の態様の＜態様３＞等）。
【０１４８】
また、制御部４０１は、ＤＬ信号の受信期間と、ＤＬ信号を受信したＤＬシンボルから所定範囲の期間とにおいてＵＬ信号の送信を想定せず、且つＵＬ信号の送信期間においてＤＬ信号の受信を想定せずに送受信を行うように制御してもよい（第１の態様等）。
【０１４９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１５０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１５１】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１５２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１５３】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１５４】
測定部４０５は、受信した信号に関する測定を実施する。測定部４０５は、本開示に係る技術分野での共通認識に基づいて説明される測定器、測定回路又は測定装置から構成することができる。
【０１５５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１５６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１５７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１５８】
例えば、本開示の一実施形態における基地局、ユーザ端末などは、本開示の無線通信方法の処理を行うコンピュータとして機能してもよい。図１４は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５９】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０１６０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１６１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１６２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１６３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１６４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１６５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１６６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０１６７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１６９】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７０】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１７２】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１７３】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１７４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１７５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１７６】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１７８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１７９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１８１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１８３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１８４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８６】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１８７】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１８８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１８９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１９４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９５】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１９７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２００】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２０１】
本開示において使用する「システム」及び「ネットワーク」という用語は、互換的に使用され得る。
【０２０２】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２０３】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２０４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２０５】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２０６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０７】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２０８】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２０９】
同様に、本開示におけるユーザ端末は、基地局で読み替えてもよい。この場合、上述のユーザ端末２０が有する機能を基地局１０が有する構成としてもよい。
【０２１０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２１２】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２１３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２１５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２１６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２１７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１８】
また、「判断（決定）」は、「想定する（assuming）」、「期待する（expecting）」、「みなす（considering）」などで読み替えられてもよい。
【０２１９】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２２０】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２２１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２２２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２２３】
本開示において、例えば、英語でのa,  an及びtheのように、翻訳によって冠詞が追加された場合、本開示は、これらの冠詞の後に続く名詞が複数形であることを含んでもよい。
【０２２４】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020016938.tif 000003
【図２】
2020016938.tif 000004
【図３】
2020016938.tif 000005
【図４】
2020016938.tif 000006
【図５】
2020016938.tif 000007
【図６】
2020016938.tif 000008
【図７】
2020016938.tif 000009
【図８】
2020016938.tif 000010
【図９】
2020016938.tif 000011
【図１０】
2020016938.tif 000012
【図１１】
2020016938.tif 000013
【図１２】
2020016938.tif 000014
【図１３】
2020016938.tif 000015
【図１４】
2020016938.tif 000016
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
ＵＬ送信を行う送信部と、
ＤＬ受信を行う受信部と、を有し、
前記送信部は、前記ＤＬ受信の最後のシンボルの後からある期間が経過するまで前記ＵＬ送信を行わない、端末。
【請求項２】
前記期間は、第１の周波数範囲における第１の期間である、請求項１に記載の端末。
【請求項３】
前記期間は、第１の周波数範囲以外の第２の周波数範囲における第２の期間である、請求項１に記載の端末。
【請求項４】
前記送信部は、周波数範囲が第１の周波数範囲である場合に、前記ＤＬ受信の最後のシンボルの後から第１の期間が経過するまで前記ＵＬ送信を行わず、
前記送信部は、周波数範囲が第２の周波数範囲である場合に、前記ＤＬ受信の最後のシンボルの後から第２の期間が経過するまで前記ＵＬ送信を行わず、
前記第１の期間と前記第２の期間は、異なっている、請求項１に記載の端末。
【請求項５】
ＵＬ送信を行う工程と、
ＤＬ受信を行う工程と、を有し、
前記ＤＬ受信の最後のシンボルの後からある期間が経過するまで前記ＵＬ送信を行わない、端末の無線通信方法。
【請求項６】
端末と通信する基地局であって、
前記端末からのＵＬ受信を行う受信部と、
前記端末へのＤＬ送信を行う送信部と、
前記ＤＬ送信の最後のシンボルの後からある期間が経過するまで、前記端末からの前記ＵＬ受信を想定しない制御部と、を有する基地局。
【請求項７】
端末と基地局とを有するシステムであって、
前記端末は、
ＵＬ送信を行う送信部と、
ＤＬ受信を行う受信部と、を有し、
前記送信部は、前記ＤＬ受信の最後のシンボルの後からある期間が経過するまで前記ＵＬ送信を行わず、
前記基地局は、
前記端末からのＵＬ受信を行う受信部と、
前記端末へのＤＬ送信を行う送信部と、
前記ＤＬ送信の最後のシンボルの後からある期間が経過するまで、前記端末からの前記ＵＬ受信を想定しない制御部と、を有するシステム。
【手続補正３】
【補正対象書類名】明細書
【補正対象項目名】０００１
【補正方法】変更
【補正の内容】
【０００１】
本開示は、次世代移動通信システムにおける端末、無線通信方法、基地局及びシステムに関する。
【手続補正４】
【補正対象書類名】明細書
【補正対象項目名】００１０
【補正方法】変更
【補正の内容】
【００１０】
そこで、本開示は、将来の無線通信システムにおいてハーフデュプレックス通信を適切に制御可能な端末、無線通信方法、基地局及びシステムを提供することを目的の１つとする。
【手続補正５】
【補正対象書類名】明細書
【補正対象項目名】００１１
【補正方法】変更
【補正の内容】
【００１１】
本開示の一態様に係る端末は、ＵＬ送信を行う送信部と、ＤＬ受信を行う受信部と、を有し、前記送信部は、前記ＤＬ受信の最後のシンボルの後からある期間が経過するまで前記ＵＬ送信を行わない。
【国際調査報告】
2020016938.tif 000017
2020016938.tif 000018
2020016938.tif 000019
2020016938.tif 000020
2020016938.tif 000021
2020016938.tif 000022
2020016938.tif 000023
2020016938.tif 000024